(57)【要約】  【課題】  レール末端やレール上方と建屋との間に十分な空間がない場合においても、レールに横行装置付き巻上機を容易に上架可能とする。  【解決手段】  横行装置付き巻上機９を上架してレール１０に取り付けるための上架治具２０であって、レール１０の下フランジ１２にレール１０を挟むように取り付けられる一対の土台部２５と、各土台部２５から伸張し、かつ、レール１０の幅方向の両外側にそれぞれ延出する延出部２１と、を有し、延出部２１には下フランジ１２上方で、かつ、レール１０の幅方向の外側位置に、手動式の引上手段５を掛け止めるための掛止部２８が設けられている。【選択図】図２
2020029319.tif 000002
【特許請求の範囲】
【請求項１】
横行装置付き巻上機を上架してレールに取り付けるための上架治具であって、
前記レールの下フランジに前記レールを挟むように取り付けられる一対の土台部と、
各該土台部から伸張し、かつ、前記レールの幅方向の両外側にそれぞれ延出する延出部と、を有し、
該延出部には前記下フランジ上方で、かつ、前記レールの幅方向の外側位置に、手動式の引上手段を掛け止めるための掛止部が設けられている、ことを特徴とする上架治具。
【請求項２】
前記土台部はプレントロリであり、前記延出部は対向状態で吊軸により連結される本体プレートに固定されている、ことを特徴とする請求項１に記載の上架治具。
【請求項３】
横行装置付き巻上機を上架してレールに取り付けるための上架治具であって、
前記レールの上フランジ上に載置固定するための固定部と、
該固定部から前記レールの幅方向の両外側に延出するアーム部と、を有し、
該アーム部には下フランジ上方で、かつ、前記レールの幅方向の外側位置に、手動式の引上手段を掛け止めるための掛止部が設けられている、ことを特徴とする上架治具。
【請求項４】
請求項１又は３に記載の上架治具を用いた巻上機の上架方法であって、
上架治具をレールの長手方向に所定間隔離れて複数取り付ける上架治具設置工程と、
該上架治具の各掛止部に手動式の引上手段をそれぞれ掛け止める引上手段掛止工程と、
台座に、前記引上手段を掛け止める引上手段連結工程と、
横行装置を分解した巻上機を前記台座に載置して仮固定する載置仮固定工程と、
前記引上手段により、前記横行装置の前記下フランジへの取り付け高さまで、前記台座を引き上げる台座引上工程と、
分割した前記横行装置を再組立てすることで前記レールに前記巻上機を取り付けて上架する巻上機上架工程と、
前記巻上機の前記台座への仮固定を解除し、前記台座への前記引上手段の掛け止めを外し、前記上架治具を前記レールから撤去する上架治具撤去工程と、
を有する、ことを特徴とする上架治具を用いた巻上機の上架方法。
【請求項５】
前記台座上に仮固定した前記巻上機を、前記レールの下フランジに一時的に取り付けたビームクランプ又はプレントロリに掛け止めた吊上手段を用いて所定の高さまで吊り上げる巻上機吊上工程を含み、
前記巻上機を吊り上げた状態で前記引上手段連結工程を実施する、ことを特徴とする請求項４に記載の上架治具を用いた巻上機の上架方法。
【発明の詳細な説明】
【技術分野】
【０００１】
本発明は、上架治具およびこれを用いた巻上機の上架方法に関する。
【背景技術】
【０００２】
Ｈ形鋼やＩ形鋼からなるレールに、チェーンブロックなどの巻上機で１００ｋｇ程度以上の重量があるものを上架する方法としては、ビームクランプをレールのフランジに固定して、それを支点としてワイヤを介して巻上機のフック等を結合させる方法が知られている（特許文献１を参照）。しかし、この方法は、荷の巻き上げ高さの上限が低くなってしまうだけでなく、レールに沿って巻上機を移動可能とする横行装置付きのものには適用できない。
【先行技術文献】
【特許文献】
【０００３】
【特許文献１】特開２０１６−１１３２２０
【発明の概要】
【発明が解決しようとする課題】
【０００４】
ところで、横行装置付き巻上機を上架する際、レール末端と建屋との間に十分な空間が設けられている場合には、レール末端からクレーン車などで吊上げた巻上機の横行装置のローラ部分を挿入することにより、これらを容易にレールに取り付けることができる。一方、レール末端と建屋との間に十分な空間がなく、かつ、レールと建屋の天井との間に十分な空間がない場合には、横行装置付き巻上機を上架してレールに取り付けるためには、例えば、天井を外して十分な空間を作り、横行装置を一度分解・分割し、その状態で横行装置付き巻上機をクレーン車で吊上げ、横行装置をレールに乗せてから再組立する必要があった。
【０００５】
本発明は、上記課題に鑑みてなされたものであり、レール末端やレール上方と建屋との間に十分な空間がない場合においても、レールに横行装置付き巻上機を容易に上架可能とする上架治具およびこれを用いた巻上機の上架方法を提供することを目的とする。
【課題を解決するための手段】
【０００６】
（１）上記目的を達成するための一実施形態に係る上架治具は、横行装置付き巻上機を上架してレールに取り付けるための上架治具であって、前記レールの下フランジに前記レールを挟むように取り付けられる一対の土台部と、各該土台部から伸張し、かつ、前記レールの幅方向の両外側にそれぞれ延出する延出部と、を有し、該延出部には前記下フランジ上方で、かつ、前記レールの幅方向の外側位置に、手動式の引上手段を掛け止めるための掛止部が設けられている。
【０００７】
（２）別の実施形態に係る上架治具において、好ましくは、前記土台部はプレントロリであり、前記延出部は対向状態で吊軸により連結される本体プレートに固定されている。
【０００８】
（３）一実施形態に係る上架治具は、横行装置付き巻上機を上架してレールに取り付けるための上架治具であって、前記レールの上フランジ上に載置固定するための固定部と、該固定部から前記レールの幅方向の両外側に延出するアーム部と、を有し、該アーム部には下フランジ上方で、かつ、前記レールの幅方向の外側位置に、手動式の引上手段を掛け止めるための掛止部が設けられている。
【０００９】
（４）一実施形態に係る上架治具を用いた巻上機の上架方法は、上述のいずれかの上架治具を用いた巻上機の上架方法であって、上架治具をレールの長手方向に所定間隔離れて複数取り付ける上架治具設置工程と、該上架治具の各掛止部に手動式の引上手段をそれぞれ掛け止める引上手段掛止工程と、台座に、前記引上手段を掛け止める引上手段連結工程と、横行装置を分解若しくは分割した巻上機を前記台座に載置して仮固定する載置仮固定工程と、前記引上手段により、前記横行装置の前記下フランジへの取り付け高さまで、前記台座を引き上げる台座引上工程と、分割した前記横行装置を再組立てすることで前記レールに前記巻上機を取り付けて上架する巻上機上架工程と、前記巻上機の前記台座への仮固定を解除し、前記台座への前記引上手段の掛け止めを外し、前記上架治具を前記レールから撤去する上架治具撤去工程と、を有する。
【００１０】
（５）別の実施形態に係る巻上機の上架方法は、好ましくは、前記台座上に仮固定した前記巻上機を、前記レールの下フランジに一時的に取り付けたビームクランプ又はプレントロリに掛け止めた吊上手段を用いて所定の高さまで吊り上げる巻上機吊上工程を含み、前記巻上機を吊り上げた状態で前記引上手段連結工程を実施する。
【発明の効果】
【００１１】
本発明によれば、レール末端やレール上方と建屋との間に十分な空間がない場合においても、レールに巻上機を容易に上架可能となる。
【図面の簡単な説明】
【００１２】
【図１】図１は、第１実施形態に係る上架治具を含む巻上機の上架機構の斜視図を示す。
【図２】図２は、第１実施形態に係る上架治具の側面図（２Ａ）および正面図（２Ｂ）をそれぞれ示す。
【図３】図３は、第１実施形態に係る上架治具を用いた巻上機の上架方法の概略フロー図を示す。
【図４】図４（４Ａ）および（４Ｂ）は、図３の巻上機の上架方法を説明するための図を示す。
【図５】図５（５Ａ）および（５Ｂ）は、図４に続いて、図３の巻上機の上架方法を説明するための図を示す。
【図６】図６（６Ａ）および（６Ｂ）は、図５に続いて、図３の巻上機の上架方法を説明するための図を示す。
【図７】図７（７Ａ）および（７Ｂ）は、図６に続いて、図３の巻上機の上架方法を説明するための図を示す。
【図８】図８（８Ａ）および（８Ｂ）は、図７に続いて、図３の巻上機の上架方法を説明するための図を示す。
【図９】図９は、第２実施形態に係る上架治具の側面図（９Ａ）および上面図（９Ｂ）を示す。
【発明を実施するための形態】
【００１３】
次に、本発明の各実施形態について、図面を参照して説明する。なお、以下に説明する各実施形態は、特許請求の範囲に係る発明を限定するものではなく、また、各実施形態の中で説明されている諸要素及びその組み合わせの全てが本発明の解決手段に必須であるとは限らない。
【００１４】
（第１実施形態）
図１は、第１実施形態に係る上架治具を含む巻上機の上架機構の斜視図を示す。図２は、第１実施形態に係る上架治具の側面図（２Ａ）および正面図（２Ｂ）をそれぞれ示す。なお、本実施形態の上架治具は、レールと建屋天井との間に空間がない場合に適用されるものである。
【００１５】
第１実施形態に係る上架治具２０を用いた巻上機の上架機構１（以下、単に「上架機構」ということもある。）は、上架治具２０を用いて横行装置付き巻上機９（図５参照）を上架してレール１０に取り付けるための機構である。上架機構１は、レール１０の長手方向（図１のＸ軸方向）に所定間隔離れて複数（図１では２つ）配置される上架治具２０と、当該上架治具２０に掛け止められる手動式の引上手段５とを備える。また、上架機構１は、横行装置付き巻上機９を載置可能な台座７を備える。また、上架機構１は、好ましくは、台座７に載置して仮固定を行った横行装置付き巻上機９を所定の高さまで吊り上げる手動チェーンブロック６を掛け止め可能なビームクランプ４を備える。なお、第１実施形態において、レール１０は、Ｉ形鋼で形成されており、レール１０の幅方向に突出する上フランジ１１と下フランジ１２とを有する。なお、本発明において、レール１０は、Ｉ形鋼に限定されず、例えば、Ｈ形鋼で形成されていても良い。
【００１６】
次に、上架機構１の構成部材について、より詳しく説明する。
【００１７】
（ａ）上架治具２０
上架治具２０は、レール１０の下フランジ１２にレール１０を挟むように取り付けられる一対の土台部２５，２５と、各土台部２５から伸張し土台部２５上方、かつ、レール１０の幅方向（図１のＹ軸方向）の両外側にそれぞれ延出する延出部２１，２１と、を有する。各延出部２１は、下フランジ１２上方で、かつ、レール１０の幅方向の外側位置に手動式の引上手段５を掛け止めるための１または複数の掛止部２８を備えている。掛止部２８は、図２（２Ａ）に示すように、好ましくは、レール１０の幅方向に向かって複数個備えられる。引上手段５の掛け止め位置を変更できるようにするためである。延出部２１は、レール１０の長さ方向からみて略逆Ｌ字状に屈曲された一対の金属プレートから構成され、レール１０の幅方向の外側に延びた端部同士を掛止部２８によって連結し、その反対側の他端部同士を土台部２５に固定している。より具体的には、当該他端部同士は、対向状態で吊軸２７により連結される本体プレート２６に固定されている。第１実施形態において、掛止部２８は、好ましくは、上記一対の金属プレートを接続するボルト／ナットであり、そのボルト軸に引上手段５の上フックが掛け止められる。ただし、掛止部２８は、これに限定されず、引上手段５を掛け止め可能な構成であれば、種々の形態を採用可能である。
【００１８】
土台部２５は、レール１０に沿って摺動自在なプレントロリであることが好ましい。この構成により、台座７と引上手段５との固定や横行装置付き巻上機９を吊り上げる際に、上架治具１を好適な位置に容易に移動できる。なお、土台部２５は、これに限定されず、例えば、レール１０を把持することでレールに固定されるビームクランプなど、延出部２１とレール１０とを連結可能であれば種々の部材を採用可能である。また、土台部２５としてビームクランプを用いる場合は、ビームクランプ本体を構成するプレートを、下レール１２上方、かつ、レール１０幅方向外側に拡張し、当該拡張した部分を延出部２１としても良い。また、第１実施形態において、上架機構１は２つの上架治具２０，２０がレール１０の長手方向（図１のＸ軸方向）に所定間隔離れて設けられる。なお、上架機構１に設けられる上架治具２０は、少なくとも２つ以上設けられていれば良い。上架治具２０の数は、上架対象の巻上機の大きさや重さを考慮して決定すればよいが、作業コストおよび作業効率の点から、２つ設けられていることがより好ましい。
【００１９】
また、土台部２５の下部には、好適には、横行装置付き巻上機９（図４参照）を所定の高さまで吊り上げるための電気チェーンブロック８（図４（４Ｂ）参照）を掛け止め可能な吊り金具３が設けられている点は通常のプレントロリと同様である。
【００２０】
（ｂ）引上手段５
引上手段５は、好適には、手動チェーンブロックであり、手動チェーンブロック５の上フック５１を延出部２１に設けられた掛止部２８に掛け止めて用いられる。なお、引上手段５は、手動チェーンブロックに限定されず、例えば、手動レバーブロック（登録商標）等の手動巻上機であってもよい。
【００２１】
（ｃ）台座７
台座７は、横行装置付き巻上機９を載置して仮固定可能な部材であって、レール１０の長手方向（図１のＸ軸方向）に沿って、２つの引上手段５，５を接続する一対の棒状部材である。具体的には、台座７は、横行装置付き巻上機９を支持するフレーム７１と、フレーム７１と引上手段５とを連結する連結部材７２と、を有する。フレーム７１は、好ましくは、アルミニウム製のフレームである。フレーム７１の横行装置付き巻上機９に接触する領域に、保護布７５を設けることが好ましい。これにより、フレーム７１との接触による横行装置付き巻上機９の損傷を抑制することができる。連結部材７２は、フレーム７１の両端部近傍に設けられ、その上部には、引上手段５の下フック５２（図２参照）を掛け止め可能なリング状の掛止部材７６が設けられる。台座７は、連結部材７２の掛止部材７６に引上手段５の下フック５２を掛け止めることにより、引上手段５と連結する。なお台座７は、横行装置付き巻上機９を載置して仮固定し、引上手段５により引き上げることができるものであれば上記に限られず、井桁状や平板状などとすることもできる。
【００２２】
（ｄ）ビームクランプ４
ビームクランプ４は手動チェーンブロック６（吊上手段の一例）を一時的にレール１０に取り付けるためのもので、電気チェーンブロック８により所定の高さまで吊り上げた横行装置付き巻上機９（図４参照）を、ビームクランプ４に取り付けた手動チェーンブロック６に吊り替える（横取りする）ために用いられる。ビームクランプ４は、レール１０の長手方向において、２つの上架治具２０，２０の間に配置される。なお、手動チェーンブロック６以外にも、レバーホイスト等の他の手動巻上機を用いても良い。
【００２３】
次に、この実施形態に係る上架治具を用いた巻上機の上架方法について説明する。
【００２４】
図３は、第１実施形態に係る上架治具を用いた巻上機の上架方法の概略フロー図を示す。図４〜図８は、図３の巻上機の上架方法を説明するための図を示す。なお、図４〜図８の各図において、中央の図は側面図を示し、左側の図は側面図におけるＡ−Ａ線断面図を示し、右側の図は側面図におけるＢ−Ｂ線断面図を示す。本願では、「断面」とは、レール１０の断面がＩ型となるように、レール１０の上フランジ１１から下フランジ１２へ垂直に切断する方向の断面を意味する。
【００２５】
第１実施形態に係る上架治具を用いた巻上機の上架方法（以降、単に、「上架方法」と称することがある。）は、上架治具設置工程（Ｓ１００）、引上手段掛止工程（Ｓ１１０）、電気チェーンブロック取付工程（Ｓ１２０）、吊上手段取付工程（Ｓ１３０）、第１吊上工程（Ｓ１４０；巻上機吊上工程の一例）、吊り替え工程（Ｓ１５０）、第２吊上工程（Ｓ１６０；巻上機吊上工程の一例）、引上手段連結工程（Ｓ１７０）、載置仮固定工程（Ｓ１８０）、吊上手段取外工程（Ｓ１９０）、台座引上工程（Ｓ２００）、巻上機上架工程（Ｓ２１０）、上架治具撤去工程（Ｓ２２０）の順に工程を行う方法である。以下、各工程を、図４〜図８を参照しながら説明する。
【００２６】
（１）上架治具設置工程（Ｓ１００）
当該工程は、上架治具２０をレール１０の長手方向（図１のＸ軸方向）に所定間隔離れて複数取り付ける工程である（図４（４Ａ）参照）。第１実施形態において、当該工程は、上架治具２０を２つ取り付ける。上架治具２０は、レール１０の下フランジ１２上面に土台部２５を係合することにより取り付けられる。なお下フランジ１２への上架治具２０の取り付けは、レール１０末端と建屋との間に十分な空間がなくレール端部から上架治具２０を差し込めない場合には、一度分解した上架治具２０を、レール１０の下フランジ１２を挟んで再組み立てすることにより行なう。
【００２７】
（２）引上手段掛止工程（Ｓ１１０）
当該工程は、上架治具２０の左右各一の掛止部２８に手動式の引上手段５を掛け止める工程である（図４（４Ａ）参照）。具体的に、当該工程では、掛止部２８に、引上手段５の上フック５１を掛け止める。なお、この工程を、上架治具設置工程（Ｓ１００）より前に行っても良い。
【００２８】
（３）電気チェーンブロック取付工程（Ｓ１２０）
当該工程は、一方の上架治具２０の吊り金具３に電気チェーンブロック８を取り付ける工程である（図４（４Ｂ）参照）。電気チェーンブロック以外にも手動チェーンブロックや圧縮空気式チェーンブロックなどを用いることも可能であるが、引き上げ高さが高い場合には労力低減のため動力を利用するものが好ましい。
【００２９】
（４）吊上手段取付工程（Ｓ１３０）
当該工程は、レール１０の長手方向（図１のＸ軸方向）において、２つの上架治具２０の間にビームクランプ４を取り付け、当該ビームクランプ４に手動チェーンブロック６などの吊上手段を取り付ける工程である（図４（４Ｂ）参照）。具体的には、当該工程では、ビームクランプ４は、レール１０の下フランジ１２に、ボルト等により係合されて取り付けられる。
【００３０】
（５）第１吊上工程（Ｓ１４０）
当該工程は、電気チェーンブロック８で横行装置付き巻上機９を吊り上げる工程である（図５（５Ａ）参照）。具体的には、当該工程では、横行装置付き巻上機９の吊軸に玉掛けしたスリング９１を電気チェーンブロック８のフック８１に掛け止め、電気チェーンブロック８により横行装置付き巻上機９を吊り上げる。
【００３１】
（６）吊り替え工程（Ｓ１５０）
当該工程は、横行装置付き巻上機９を吊上手段である手動チェーンブロック６に移し変えることで、より横行装置付き巻上機９を引き上げてレールに近づけた後に、電気チェーンブロック８を吊り金具３から取り外す工程である（図５（５Ｂ）参照）。具体的には、当該工程では、横行装置付き巻上機９を吊下げた一の上架治具２０をビームクランプ４側へ横行させ、手動チェーンブロック６のフック６１をスリング９１に掛けて、横行装置付き巻上機９を電気チェーンブロック８から手動チェーンブロック６へ吊り替える（横取りする）。その後、電気チェーンブロック８を吊り金具３から取り外す。なお、当該工程において、電気チェーンブロック８による吊上量は、少なくとも横行装置付き巻上機９を手動チェーンブロック６に吊り替え可能な高さまで吊り上げできる吊上量であれば、特に限定されない。
【００３２】
（７）第２吊上工程（Ｓ１６０）
当該工程は、手動チェーンブロック６で横行装置付き巻上機９を吊り上げる工程である（図５（５Ｂ）参照）。具体的には、当該工程では、吊り替え工程（Ｓ１５０）において手動チェーンブロック６に吊り替えられた横行装置付き巻上機９を、手動チェーンブロック６でさらに吊り上げる。また、手動チェーンブロック６による吊上量は、少なくとも台座７により横行装置付き巻上機９を支持可能な高さまで吊り上げできる吊上量であれば、特に限定されない。
【００３３】
（８）引上手段連結工程（Ｓ１７０）
当該工程は、台座７に、引上手段５を掛け止める工程である（図６（６Ａ）参照）。具体的には、当該工程では、２つのフレーム７１，７１の両端にそれぞれ設けられた連結部材７２の掛止部材７６を、引上手段５の下フック５２にそれぞれ掛け止める。
【００３４】
（９）載置仮固定工程（Ｓ１８０）
当該工程は、横行装置を分解・分割した横行装置付き巻上機９を台座７に載置して仮固定する工程である（図６（６Ｂ）参照）。具体的には、当該工程では、横行装置付き巻上機９を、引上手段５を掛け止めて吊り下げた台座７よって下支えした状態で、２つのフレーム７１，７１と横行装置付き巻上機９とを固縛部材７７（例えば、ベルトラッシング等）で固縛する。その後、手動チェーンブロック６から横行装置付き巻上機９を取り外す。
【００３５】
（１０）吊上手段取外工程（Ｓ１９０）
当該工程は、吊上手段である手動チェーンブロック６およびビームクランプ４をレール１０から取り外す工程である（図７（７Ａ）参照）。
【００３６】
（１１）台座引上工程（Ｓ２００）
当該工程は、引上手段５により横行装置の下フランジ１２への取り付け高さまで、台座７を引き上げる工程である（図７参照）。上架治具２０に取り付けた４つの引上手段を用い、できるだけ水平状態を保つようにしながら台座を引き上げる。
【００３７】
（１２）巻上機上架工程（Ｓ２１０）
当該工程は、分解・分割した横行装置を再組立てすることでレール１０に横行装置付き巻上機９を取り付けて上架する工程である（図７（７Ｂ）参照）。当該工程では、横行装置付き巻上機９をレール１０に取り付けた後、引上手段５を巻き下げる。これにより、横行装置付き巻上機９がレール１０に取り付けられたことを確認することができる。
【００３８】
（１３）上架治具撤去工程（Ｓ２２０）
当該工程は、横行装置付き巻上機９の台座７への仮固定を解除し、台座７への引上手段５の掛け止めを外し、上架治具２０をレール１０から撤去する工程である（図８参照）。具体的には、当該工程では、固縛部材７７を外すことによりフレーム７１と横行装置付き巻上機９との固定を解除する。その後、連結部材７２の掛止部材７６を手動チェーンブロック５の下フック５２から取り外すことにより、台座７と引上手段５との接続を解除する。そして、引上手段５および上架治具２０をレール１０から取り外す。これにより、横行装置付き巻上機９のレール１０への上架が完了する。
【００３９】
このようにしてレール１０に上架された横行装置付き巻上機９には、給電ケーブル８０が敷設され、試運転や各種性能検査を経て、巻き上げ作業および巻き下げ作業を行うことが可能となる。
【００４０】
（第２実施形態）
次に、本発明の第２実施形態について説明する。第１実施形態と共通する部分については同じ符号を付して重複した説明を省略する。
【００４１】
図９は、第２実施形態に係る上架治具の側面図（９Ａ）および上面図（９Ｂ）を示す。
【００４２】
第２実施形態に係る上架機構は、上架冶具２０の代わりに、図９に示す上架冶具２０ａを用いる点において第１実施形態に係る上架機構１と異なり、その点以外を共通とする。そのためこの上架治具２０ａを用いた巻上機の上架方法もほぼ同様となるため、その説明は省略する。なお本実施形態の上架治具２０ａは、レール１０と建屋天井との間に５ｃｍ程度以上の空間がある場合に適用可能である。
【００４３】
上架冶具２０ａは、レール１０の上フランジ１１上に載置固定するための固定部２５ａと、該固定部２５ａからレール１０の幅方向の両外側に延出するアーム部２１ａ，２１ａと、を有する。また、各アーム部２１ａには下フランジ１２上方で、かつ、レール１０の幅方向の外側位置に手動式の引上手段５を掛け止めるための掛止部２８ａが設けられている。アーム部２１ａは、長尺状の一対の金属プレートを固定部２５ａからレール１０幅方向両外側にそれぞれ延出して構成されている。一対の金属プレートの端部同士は掛止部２８によって連結され、その反対側の他端部同士は固定部２５ａに係合される（図９（９Ｂ）参照）。アーム部２１ａを構成する金属プレートは、固定部２５ａを挿通する１つの部材であることが好ましい。固定部２５ａは、Ｘ軸方向断面で略逆Ｕの字状の金属部材であり、レール１０の上フランジ１１に係合される。具体的には、固定部２５ａは、上フランジ１１上に配置され、ボルト／ナット２９を用い、ボルト軸に通した挟止片３０との間に上フランジ１１を挟み込んだ状態でボルト２９を締め付けることで、上架冶具２０ａをレール１０に固定する。上架冶具２０ａは、その上端が、レール１０の上端より高さＨだけ高い位置に配置される（図９（９Ａ）参照）。よって、レール１０が天井に埋設されずに少なくとも高さＨ以上のわずかな隙間を有する場合に、レール１０に上架冶具２０ａを取り付けることができる。また、上架冶具２０ａは、レール１０の長手方向に所定間隔離れて２つ設けられる。
【００４４】
（その他の実施形態）
上述のように、本発明の好適な各実施形態について説明したが、本発明は、これらに限定されることなく、種々変形して実施可能である。
【００４５】
本発明の上架冶具を用いた巻上機の上架方法は、電気チェーンブロック８を用いず、レールに取り付けた２つの上架冶具の間に配置したビームクランプ等に手動チェーンブロック６を取り付け、この手動チェーンブロックにより、引上手段５を掛け止めて吊り下げた台座７に載置可能な位置まで吊り上げても良い。この場合、図３に示す上架方法のうち、電気チェーンブロック取付工程（Ｓ１２０）、第１吊上工程（Ｓ１４０）、および、吊り替え工程（Ｓ１５０）は不要である。
【００４６】
また、本発明の上架冶具を用いた巻上機の上架方法は、電気チェーンブロック８および手動チェーンブロック６を用いず、地上で台座７に仮固定した横行装置付き巻上機９を、直接引上手段５で下フランジ１２への取り付け高さまで引き上げても良い。この場合、図３に示す上架方法のうち、電気チェーンブロック取付工程（Ｓ１２０）、吊上手段取付工程（Ｓ１３０）、第１吊上工程（Ｓ１４０）、吊り替え工程（Ｓ１５０）、第２吊上工程（Ｓ１６０）、および、吊上手段取外工程（Ｓ１９０）は不要である。また、この場合、載置仮固定工程（Ｓ１８０）は、引上手段連結工程（Ｓ１７０）の前まで又はその直後であればいつ行っても良い。
【００４７】
また、電気チェーンブロック８は、土台部２５であるプレントロリの吊り金具３に掛け止められていたが、これに限定されず、例えば、ビームクランプに掛け止められても良い。この場合、ビームクランプは、土台部２５としてプレントロリの代わりに設けられても良いし、土台部２５とは別に、レール１０の長手方向（図１のＸ軸方向）において、２つの上架治具２０，２０の間に配置されていても良い。
【００４８】
また、ビームクランプ４は、これに限定されず、例えば、レール１０の下フランジ１２に取り付けられるプレントロリ等であっても良い。
【００４９】
また、延出部２１は、上述の各実施形態の形状に限定されず、少なくとも土台部２５から伸張し土台部２５の上方、かつ、レール１０の幅方向の外側に延出する形状であれば、種々の形状を採用できる。例えば、延出部２１は、レール１０の長さ方向端部から見てＬ字形状、レール１０の幅方向に延びる長尺形状、あるいは、下方に斜辺を有する直角三角形でも良い。また、アーム部２１ａは、上述の実施形態の形状に限定されず、少なくとも固定部２５ａからレール１０幅方向両外側に延出する形状であれば、種々の形状を採用できる。なお、延出部２１あるいはアーム部２１ａは、レール１０の下フランジ１２からできるだけ上方にあって、引上手段５をできるだけ高い位置に掛け止め可能であるのが好ましい。
【００５０】
また、上述の各実施形態の複数の構成要素は、互いに組み合わせ不可能な場合を除いて、自由に組み合わせ可能である。
【産業上の利用可能性】
【００５１】
本発明に係る巻上機の上架機構は、レール末端やレール上方と建屋との間に十分な空間がない場合においてレールに巻上機を上架するための上架治具として特に有用である。
【符号の説明】
【００５２】
１・・・巻上機の上架機構、４・・・ビームクランプ、５・・・引上手段、６・・・手動チェーンブロック（吊上手段）、７・・・台座、８・・・電気チェーンブロック、９・・・横行装置付き巻上機、１０・・・レール、１１・・・上フランジ、１２・・・下フランジ、２０，２０ａ・・・上架治具、２１・・・延出部、２１ａ・・・アーム部、２５・・・土台部（プレントロリ）、２５ａ・・・固定部、２６・・・本体プレート、２７・・・吊軸、２８，２８ａ・・・掛止部
【図１】
2020029319.tif 000003
【図２】
2020029319.tif 000004
【図３】
2020029319.tif 000005
【図４】
2020029319.tif 000006
【図５】
2020029319.tif 000007
【図６】
2020029319.tif 000008
【図７】
2020029319.tif 000009
【図８】
2020029319.tif 000010
【図９】
2020029319.tif 000011